(57)【要約】【課題】予めモードを切り替えたり、専用のモード切換手段等を設けることなく、静止画又は動画の撮影を随時行うことができるデジタルカメラを提供することを目的とする。【解決手段】レリーズスイッチ２２を半押し状態又は本押し状態とすることによって接点スイッチＡ２２ａ及び接点スイッチＢ２２ｂのうち少なくとも接点スイッチＢ２２ｂがオンしたときに、機能決定部８６は、静止画撮影へ機能を移行する。ここでは、半押し状態のときにＡＥ機能及びＡＦ機能が動作するように制御し、本押し状態のときに静止画撮影を指示する。また、レリーズスイッチ２２を深押し状態とすることによって接点スイッチＡ２２ａ、接点スイッチＢ２２ｂ、及び接点スイッチＣ２２ｃのうち少なくとも接点スイッチＣ２２ｃがオンすると、機能決定部８６は、動画撮影へ機能を移行する。ここでは、深押し状態のときに動画撮影開始を指示する。【選択図】　　　　図３
2004120255.tif 000002
【特許請求の範囲】
【請求項１】
動画を撮影する動画撮影機能と、静止画を撮影する静止画撮影機能を有するデジタルカメラであって、
単一の操作部位を有しかつ、静止画撮影指示の第１状態または動画撮影指示の第２状態を検出する検出手段と、
前記検出手段によって前記第１状態が検出されたときに、前記静止画撮影機能へ移行し、前記検出手段によって前記第２状態が検出されたときに、前記動画撮影機能へ移行する制御手段と、
を備えることを特徴とするデジタルカメラ。
【請求項２】
前記検出手段は、前記静止画撮影指示の前段階指示の第３状態をさらに検出し、前記制御手段は、検出手段によって第３状態が検出されたときに、静止画撮影時の露光及び焦点を調整することを特徴とする請求項１に記載のデジタルカメラ。
【請求項３】
前記検出手段は、前記操作部位の操作に応じて順次オンとなることによって第１状態乃至第３状態を検出するための第１乃至第３のスイッチ手段からなり、前記制御手段は、第１のスイッチ手段がオンとなったときに、静止画撮影時の露光及び焦点を調整するように制御し、第１のスイッチ手段及び第２のスイッチ手段のうち少なくとも第２のスイッチ手段がオンとなったときに、静止画の撮影指示するように制御し、第１のスイッチ手段、第２のスイッチ手段及び第３のスイッチ手段のうち少なくとも第３のスイッチ手段がオンとなったときに、動画の撮影開始を指示するように制御することを特徴とする請求項２に記載のデジタルカメラ。
【発明の詳細な説明】
【０００１】
【発明の属する技術分野】
本発明は、デジタルカメラにかかり、特に、静止画撮影及び動画撮影が可能なデジタルカメラに関する。
【０００２】
【従来の技術】
近年、簡便に撮影可能なＣＣＤ撮像素子などを有した撮影装置として、デジタルカメラが数多く流通している。デジタルカメラは、その撮影時には、レリーズスイッチを操作することをトリガとして、ＣＣＤ撮像素子などで光量に応じた電荷（光電変換）を画素毎に読み取って、画像データに変換した後に、撮影画像を画像データとして磁気記録媒体などの記録媒体に記録している。
【０００３】
また、この種のデジタルカメラには、静止画のみならず動画撮影も可能とされるものもある。動画撮影と静止画撮影の切り替え方法としては、例えば、特許文献１、特許文献２、特許文献３等に記載の技術などが提案されている。
【０００４】
特許文献１に記載の技術では、静止画と動画撮影を切り替える切替スイッチ、またはスイッチの代わりに操作画面と操作キーによって静止画と動画撮影を切り替える手段を設けておき、撮影前にこれらの手段を用いて動作撮影が実行できる状態に予め切り替えてシャッタボタンを操作することによって動画撮影することが提案されている。
【０００５】
また、特許文献２に記載の技術では、静止画撮影用のシャッタボタンと動画撮影用のシャッタボタンをそれぞれ個別に設けておき、それぞれのシャッタボタンの操作に応じて静止画撮影と動画撮影を行うことが提案されえている。
【０００６】
一方、特許文献３に記載の技術では、シャッタキーを押下することで、シャッタキーの押下時間を計測して、計測時間に応じて撮像に関する機能を切り替えることが提案されている。
【０００７】
【特許文献１】
特開平６−２２２０２号公報（第１頁、第８図）
【特許文献２】
特開平７−１７７４０４号公報（第３頁、第１図）
【特許文献３】
特開平９−３２２０４３号公報（第１頁、第２図）
【０００８】
【発明が解決しようとする課題】
しかしながら、特許文献１に記載の技術では、静止画撮影と動画撮影を切り替える手段を事前に切り替えてから撮影を行う必要があり、静止画撮影から咄嗟に動画撮影するのが困難である、という問題がある。
【０００９】
また、特許文献２に記載の技術では、動画撮影用の専用のシャッタボタンを設ける必要があり、コストの増加やシャッタボタンの押し間違い等を招く恐れがある、という問題がある。
【００１０】
さらに、特許文献３に記載の技術では、シャッタボタンの押下時間を計測するため、機能が決定されるまでの間、計測時間分の遅延が発生する、という問題がある。
【００１１】
本発明は、上記問題を解決すべく成されたもので、予めモードを切り替えたり、専用のモード切換手段等を設けることなく、静止画又は動画の撮影を随時行うことができるデジタルカメラを提供することを目的とする。
【００１２】
【課題を解決するための手段】
上記目的を達成するために請求項１に記載の発明は、動画を撮影する動画撮影機能と、静止画を撮影する静止画撮影機能を有するデジタルカメラであって、単一の操作部位を有しかつ、静止画撮影指示の第１状態または動画撮影指示の第２状態を検出する検出手段と、前記検出手段によって前記第１状態が検出されたときに、前記静止画撮影機能へ移行し、前記検出手段によって前記第２状態が検出されたときに、前記動画撮影機能へ移行する制御手段と、を備えることを特徴としている。
【００１３】
請求項１に記載の発明によれば、検出手段は、単一の操作部位を有しており、当該操作部位を操作することによって、静止画撮影指示の第１状態または動画撮影指示の第２状態が検出される。例えば、検出手段としては、単一の操作部位の操作位置を検出する光センサ、測距センサ、タッチセンサ等のセンサを用いて第１状態及び第２状態を検出することが可能である。
【００１４】
そして、制御手段では、検出手段によって第１状態が検出されたときに、静止画撮影機能へ移行するように制御され、検出手段によって第２状態が検出されたときに、動画撮影機能へ移行するように制御される。
【００１５】
これによって、単一の操作部位の操作で静止画撮影及び動画撮影を行うことができる。また、予めモード切り替え等を行うことなく、随時、動画撮影と静止画撮影を行うことができる。
【００１６】
すなわち、予めモードを切り替えたり、専用のモード切換手段等を設けることなく、静止画又は動画の撮影を随時行うことが可能となる。
【００１７】
請求項２に記載の発明は、請求項１に記載の発明において、前記検出手段は、前記静止画撮影指示の前段階指示の第３状態をさらに検出し、前記制御手段は、検出手段によって第３状態が検出されたときに、静止画撮影時の露光及び焦点を調整することを特徴としている。
【００１８】
請求項２に記載の発明によれば、請求項１に記載の発明において、検出手段が、第１状態及び第２状態の他に第１状態の前段階指示の第３状態をさらに検出する。そして、制御手段では、検出手段によって第３状態が検出されたときに、静止画撮影時の露光及び焦点を調整するように制御され、検出手段によって第１状態が検出されたときに、静止画の撮影指示するように制御され、検出手段によって第２状態が検出されたときに、動画の撮影開始を指示するように制御される。すなわち、単一の操作部位が操作されて第３状態が検出されたときに、露光及び焦点調整が行われ、第１状態が検出されたときに、静止画撮影が行われ、第２状態が検出されたときに、動画撮影が行われ、これによって、予めモードを切り替えたり、専用のモード切換手段等を設けることなく、静止画又は動画の撮影を随時行うことが可能となる。
【００１９】
請求項３に記載の発明は、請求項２に記載の発明において、前記検出手段は、前記操作部位の操作に応じて順次オンとなることによって第１状態乃至第３状態を検出するための第１乃至第３のスイッチ手段からなり、前記制御手段は、第１のスイッチ手段がオンとなったときに、静止画撮影時の露光及び焦点を調整するように制御し、第１のスイッチ手段及び第２のスイッチ手段のうち少なくとも第２のスイッチ手段がオンとなったときに、静止画の撮影指示するように制御し、第１のスイッチ手段、第２のスイッチ手段及び第３のスイッチ手段のうち少なくとも第３のスイッチ手段がオンとなったときに、動画の撮影開始を指示するように制御することを特徴としている。
【００２０】
請求項３に記載の発明によれば、請求項２に記載の発明において、検出手段としては、第１乃至第３のスイッチ手段を適用することができる。例えば、接点スイッチを複数設けて、単一の操作部位の操作位置に応じて複数の接点スイッチのオンオフを検出することによって、複数の状態、すなわち、第１状態乃至第３状態を検出することができる。
【００２１】
そして、制御手段では、第１のスイッチ手段がオンとなったとき（第３状態が検出されたとき）に、静止画撮影時の露光及び焦点を調整するように制御し、第１のスイッチ手段及び第２のスイッチ手段のうち少なくとも第２のスイッチ手段がオンとなったとき（第１状態が検出されたとき）に、静止画の撮影指示するように制御し、第１のスイッチ手段、第２のスイッチ手段、及び第３のスイッチ手段のうち少なくとも第３のスイッチ手段がオンとなったとき（第２状態が検出されたとき）に、動画の撮影開始を指示するように制御する。すなわち、単一の操作部位が操作されて第１のスイッチ手段がオンとなったときに、露光及び焦点調整が行われ、第２のスイッチ手段がオンとなったときに、静止画撮影が行われ、第３のスイッチ手段がオンとなったときに、動画撮影が行われる。これによって、予めモードを切り替えたり、専用のモード切換手段等を設けることなく、静止画又は動画の撮影を随時行うことが可能となる。
【００２２】
【発明の実施の形態】
以下、図面を参照して本発明の実施の形態の一例を詳細に説明する。
【００２３】
図１（Ａ）、（Ｂ）に示すように、デジタルカメラ１０の本体１２は略箱型で、正面から見て左側に、本体１２の把持を容易とするための突起（把持部）が形成された形状とされている。本体１２の正面側中央にはレンズ１４が取り付けられた鏡筒１５が設けられており、本体１２のレンズ１４上方には、低照度での撮影等の場合に補助光を発するためのストロボ１８、ユーザが撮影範囲等を目視で確認するための光学ファインダ１６が取り付けられている。
【００２４】
また、ストロボ１８の近傍の位置には、ストロボ発光時に被写体で反射して戻ってきたストロボ光の光量を検出するストロボ受光センサにストロボ光を導くためのストロボ受光窓３８、及び内蔵されたＡＥセンサに光を導くためのＡＥ受光窓４０が備えられている。
【００２５】
本体１２の上面には、正面から見て右側に電源スイッチ２０が、左側（把持部に対応する位置）にレリーズスイッチ２２が各々設けられており、本体１２の正面から見て右側面には、メモリカード（図示省略）を装填可能なスロット２４が設けられている。
【００２６】
なお、本実施の形態に係わるデジタルカメラ１０のレリーズスイッチ２２は、本発明の単一の操作部位に相当し、詳細は後述するが、半押し状態、本押し状態、深押し状態の３状態に操作可能とされており、半押し状態の時にＡＥ機能及びＡＦ機能が動作し、本押し状態の時に静止画撮影が行われ、深押し状態の時に動画撮影が開始されるようになっている。
【００２７】
また、デジタルカメラ１０の正面から見て右側面には、このデジタルカメラ１０に内蔵に設けられた内蔵メモリやスロット２４に装填されるメモリカードに記録された画像データを外部に送出するためのＵＳＢ（Ｕｎｉｖｅｒｓａｌ　Ｓｅｒｉａｌ　Ｂｕｓ）ケーブルが接続されるＵＳＢ端子４２、及び内蔵メモリやメモリカードに記録された画像データを、携帯電話を使用して外部に送信において、携帯電話との接続時に使用される携帯電話用端子４４が備えられている。
【００２８】
更に、携帯電話用端子４４の下方には、交流電源から電源を得るためのＡＣアダプタを接続するＡＣアダプタ接続口２８が設けられており、交流電源をデジタルカメラ１０に供給可能なように構成されている。
【００２９】
また、図１（Ｂ）に示すように、本体１２の背面には、透過型液晶（半透過型液晶でもよい）からなるカラーディスプレイ２６が設けられており、ディスプレイ２６は、蛍光管やＬＥＤ等によって構成されるバックライトを備えた構成とされている。なお、ディスプレイ２６は光学ファインダ１６の機能も有する。
【００３０】
本体１２の背面には、向かって右側に、選択スイッチ３４、メニュースイッチ３０、実行／画面切換スイッチ３２、及びキャンセルスイッチ３６が設けられている。なお、選択スイッチ３４は、メニュースイッチ３０を押下することによって表示されたメニュー画面等を選択するためのスイッチであり、その実行は実行／画面切換スイッチ３２で行う。また、キャンセルスイッチ３６は種々のモード等をキャンセルするためのスイッチである。
【００３１】
さらに、本体１２の背面には、モードを切り替えるモード切替スイッチ８２が設けられており、該モード切替スイッチ８２を操作することによって、再生モードと撮影モードの切り替えを行うようになっている。
【００３２】
図２にはデジタルカメラ１０の電気系の構成が示されている。レンズ１４は、詳しくはズームレンズ（焦点距離可変レンズ）からなり、ズーム機構は駆動回路４６によって駆動される。また、オートフォーカス（ＡＦ）機構４７も備え、ＡＦ機構４７も同様に駆動回路４６によって駆動される。なお、ズームレンズに代えて、ＡＦ機構４７のみを備えた焦点距離可変レンズを用いてもよい。
【００３３】
本体１２の内部におけるレンズ１４の焦点位置に相当する位置には、撮影手段としてのエリアＣＣＤセンサ等で構成される撮像素子５０が配置されており、被写体を反射してレンズ１４に入射された光は撮像素子５０の受光面に結像される。撮像素子５０は、受光面上にマトリクス状に配列された多数個の光電変換セルの各々における受光量を表すアナログ信号を画像信号として出力する。撮像素子５０は、駆動回路４６に接続されているタイミング信号発生部によって発生されたタイミング信号に同期したタイミングで駆動されて画像信号を出力する。
【００３４】
レンズ１４と撮像素子５０との間には絞り４８が配置されている。絞りは連続的に変更可能な単一な絞りで構成してもよいし、絞り量が異なる複数の絞りを切り替える構成としてもよい。
【００３５】
タイミング信号発生部５２には、さらにストロボ１８の発光を制御するストロボ制御回路５４も接続されており、ストロボ１８は低照度であることが検出された場合や、ユーザによって発光が指示された場合にタイミング信号発生部５２によって発生されたタイミング信号に同期したタイミングで発光制御される。
【００３６】
撮像素子５０の信号出力端には、サンプリング部５６、Ａ／Ｄ変換器５８、信号処理部６０、メモリ６２、及び圧縮／伸張部６４が順に接続されており、それぞれシステムバス６８に接続され、システムバス６８に接続されたシステム制御部７０によって統括的に制御されるようになっている。
【００３７】
サンプリング部５６では、撮像素子５０から出力された画像信号をタイミング信号発生部５２によって発生されたタイミング信号に同期したタイミングでサンプリングすると共に、増幅してＡ／Ｄ変換器５８へ出力する。サンプリング部５６は、図示しないＣＤＳ（Ｃｏｒｒｅｌａｔｅｄ　Ｄｏｕｂｌｅ　Ｓａｍｐｌｉｎｇ：相関二重サンプリング：以下ＣＤＳという）部を含んで構成されている。ＣＤＳ部は、例えば、ＣＣＤ型の撮像素子を用いて、基本的にその素子により生じる各種のノイズをタイミング信号発生部からのタイミング信号によりクランプするクランプ回路と、タイミング信号によりアナログ電圧信号をホールドするサンプルホールド回路を有する。ＣＤＳ部は、ノイズ成分を除去してアナログの出力信号として画像信号をＡ／Ｄ変換器５８に送る。サンプリング部５６から出力された画像信号は、Ａ／Ｄ変換器５８によってデジタルの画像データに変換されて信号処理部６０へ入力される。信号処理部６０では、入力された画像データに対して色補正・γ補正・Ｙ／Ｃ変換等の各種処理を行う。信号処理部６０から出力された画像データは、ＲＡＭ等で構成されたメモリ６２に一時記録される。そして、レリーズスイッチ２２の操作がなされて撮影が指示された場合に、圧縮／伸張部６４で圧縮されてから内蔵メモリ８４又はスロット２４に装填されたメモリカード８０に格納されるようになっている。
【００３８】
また、システムバス６８には、ディスプレイ２６も接続され、撮影によって得られる画像データに基づく画像の表示が可能とされている。
【００３９】
さらに、システムバス６８には、上述のＵＳＢ端子４２、携帯電話用端子４４、音声を録音するためのマイク６６、及びレリーズスイッチ２２を含む各種操作スイッチ（メニュースイッチ３０、実行／画面切換スイッチ３２、選択スイッチ３４、キャンセルスイッチ３６、モード切替スイッチ８２等）７４が接続された入出力インターフェース（Ｉ／Ｆ）７６が接続されており、各種操作スイッチ７４の操作に応じた制御がなされるようになっている。
【００４０】
すなわち、レリーズスイッチ２２が操作された等により、内蔵メモリ８４又はスロット２４に装填されたメモリカード８０への画像データの格納が指示された場合、システム制御部７０はメモリ６２に一時記録されている画像データを読み出して圧縮／伸張部６４へ転送する。これにより、画像データは圧縮／伸張部６４で圧縮された後に内蔵メモリ８４又はメモリカード８０に格納される。なお、撮影する際のモードによって画像デーがが圧縮されることなく内蔵メモリ８４又はメモリカード８０に格納される場合もある。
【００４１】
また、内蔵メモリ８４又はスロット２４に装填されたメモリカード８０に格納されている画像データが表す画像の再生（表示）が指示された場合には、内蔵メモリ８４又はスロット２４に装填されたメモリカード８０から画像データが読み出され、読み出された画像データが圧縮／伸張部６４で伸張（解凍）された後、メモリ６２に一時記録される。そして、メモリ６２に一時記録された画像データを用いてディスプレイ２６への画像の表示（再生）が行われる。
【００４２】
ところで、本発明の実施の形態に係わるデジタルカメラ１０は、上述したように、レリーズスイッチ２２が３状態を有し、レリーズスイッチ２２の操作位置に基づいて３機能が動作するようになっており、本実施の形態では、半押し状態でＡＥ機能及びＡＦ機能が動作し、本押し状態で静止画撮影が指示され、深押し状態で動画撮影が指示される。ここで、レリーズスイッチ２２の操作に応じて行われる機能について図３の機能ブロック図を参照して説明する。
【００４３】
レリーズスイッチ２２には、接点スイッチＡ２２ａ、接点スイッチＢ２２ｂ、接点スイッチＣ２２ｃの３つの接点スイッチが設けられており、レリーズスイッチ２２を図３矢印Ａ方向に押下することによって、レリーズスイッチ２２の各位置に応じてそれぞれの接点スイッチがオンするようになっている。本実施の形態では、レリーズスイッチ２２を半押し状態（第１状態）とすることによって、接点スイッチＡ２２ａがオンし、本押し状態（第２状態）とすることによって、接点スイッチＢ２２ｂがオンし、深押し状態（第３状態）とすることによって、接点スイッチＣ２２ｃがオンする。
【００４４】
また、システム制御部７０には、静止画撮影と動画撮影を切り替えるための機能決定部８６と、静止画撮影を制御する静止画撮影制御部８８と、動画撮影を制御する動画撮影制御部９０を含んで構成されており、機能決定部８６は、接点スイッチ２２ａ、２２ｂ、２２ｃの信号に応じて静止画制御部８８及び動画撮影制御部９０の切り替えがなされるようなっている。
【００４５】
すなわち、レリーズスイッチ２２を半押し状態又は本押し状態とすることによって接点スイッチＡ２２ａ及び接点スイッチＢ２２ｂのうち少なくとも接点スイッチＢ２２ｂがオンすると、機能決定部８６は、静止画撮影へ機能を移行する。すなわち、静止画撮影制御部８８によって制御が行われる。ここでは、半押し状態のとき（接点スイッチＡ２２ａがオンのとき）にＡＥ機能及びＡＦ機能が動作するように制御され、本押し状態のとき（接点スイッチＢ２２ｂがオンのとき）に静止画撮影が指示される。
【００４６】
また、レリーズスイッチ２２を深押し状態とすることによって接点スイッチＡ２２ａ、接点スイッチＢ２２ｂ、及び接点スイッチＣ２２ｃのうち少なくとも接点スイッチＣ２２ｃがオンすると、機能決定部８６は、動画撮影へ機能を移行する。すなわち、動画撮影制御部９０によって制御が行われる。ここでは、深押し状態のとき（接点スイッチＣがオンのとき）に動画撮影開始が指示される。
【００４７】
なお、接点スイッチＡ２２ａ、接点スイッチ２２ｂ、及び接点スイッチ２２ｃは本発明の検出手段に相当し、機能決定部８６は本発明の制御手段に相当する。
【００４８】
次に、上述のように構成されたデジタルカメラ１０の作用について、図４〜６に示すフローチャートを参照して説明する。
【００４９】
図４には、図１に示す電源スイッチ２０をオンした時に起動される‘電源オン’プログラムを示すフローチャートである。
【００５０】
はじめに、電源スイッチ２０がオンされると、ステップＳ１０では、システムのリセットが行われる。なお、このとき、レンズ１４を保護するレンズバリアを有する場合には、同時にレンズバリアを開放するようにしてもよい。
【００５１】
ステップＳ１２では、現在選択されているモードが撮影モードか否か判定される。該判定は、モード切替スイッチ８２の状態に応じて判定され、判定が肯定されるとステップＳ１４へ移行して、撮影モードが起動される。
【００５２】
ここで、撮影モードについて図５のフローチャートを参照して説明する。
【００５３】
ステップＳ２０では、撮影モードが起動されると、撮像素子５０から出力される画像データが表す撮影画像の、カラーディスプレイ２６への表示が行われる。
【００５４】
続いてステップＳ２２では、現在のモードが撮影モードか否か判定される。該判定が否定された場合には、このサブルーチンを抜けて‘電源オン’プログラムのステップＳ１２へ戻る。
【００５５】
ステップＳ２２の判定が肯定された場合には、ステップＳ２４へ移行して、接点スイッチＡ２２ａがオンか否か判定される。該判定が否定された場合には、ステップＳ２２へ戻り、該判定が肯定された場合には、ステップＳ２６へ移行する。
【００５６】
ステップＳ２６では、ＡＦ機能及びＡＥ機能が動作される。すなわち、撮影に関する露光調整及び焦点位置の調整が行われる。なお、ＡＥ機能及びＡＦ機能は、一般的なＡＥ機能及びＡＦ機能を用いることができるので、詳細については省略する。
【００５７】
続いて、ステップＳ２８では、接点スイッチＢ２２ｂがオンか否か判定される。該判定が否定された場合には、ステップＳ２２へ戻って上述の処理が繰り返され、該判定が肯定された場合には、ステップＳ３０へ移行する。なお、ステップＳ２８は、接点スイッチＡ２２ａ、接点スイッチＢ２２ｂのうち、少なくとも接点スイッチＢ２２ｂがオンか否かを判定するようにしてもよい。
【００５８】
ステップＳ３０では、接点スイッチＣ２２ｃがオンか否か判定される。該判定が否定された場合には、ステップＳ３２へ移行して、低照度か否か判定される。なお、ステップＳ３２の判定は、ストロボ１８を発光する指示をユーザによってなされたか否かによって判定するようにしてもよい。また、ステップＳ３０の判定は、接点スイッチＡ２２ａ、接点スイッチＢ２２ｂ、及び接点スイッチＣ２２ｃのうち、少なくとも接点スイッチＣ２２ｃがオンか否かを判定するようにしてもよい。
【００５９】
ステップＳ３２の判定が肯定された場合には、ステップＳ３４へ移行して、ストロボ発光され、ステップＳ３６へ移行する。ステップＳ３２の判定が否定された場合にはそのままステップＳ３６へ移行する。
【００６０】
ステップＳ３６では、画像データがメモリ６２に一時記憶されて、圧縮／伸張部６４で圧縮され内蔵メモリ８４又はメモリカード８０に記憶される。すなわち、低照度の場合には、撮像素子５０による撮像を行うタイミングでストロボ１８を発光させることによって得られる画像デーが記憶され、低照度ではない場合には、ストロボ１８を使用しない状態で撮像素子５０による撮像を行うことによって得られる画像データが記憶される。
【００６１】
そして、このサブルーチンを抜けて‘電源オン’プログラムのステップＳ１２へ戻る。
【００６２】
一方、ステップＳ３０の判定が肯定された場合には、ステップＳ３８へ移行して、撮像素子５０の撮像によって得られる画像データをメモリ６２に一時記憶しながら圧縮／伸張部６４で圧縮されて内蔵メモリ８４又はメモリカード８０に記憶される。これによって動画を表す画像データが記録される。すなわち、接点スイッチＣ２２ｃがオンされた場合に、動画撮影が開始される。
【００６３】
次に、ステップＳ４０では、動画撮影終了か否か判定される。該判定はレリーズスイッチ２２が再度操作されたか否かを判定することによって行われる。なお、レリーズスイッチ２２の再操作は、例えば、３つの接点スイッチの少なくとも１つの接点スイッチがオンしたか否かによって判定可能である。
【００６４】
ステップＳ４０の判定が否定された場合にいは、ステップＳ３８に戻って動画撮影が続行され、ステップＳ４０の判定が肯定された場合には、このサブルーチンを抜けて‘電源オン’プログラムのステップＳ１２へ戻る。
【００６５】
ここで、図４に示す‘電源オン’プログラムのステップＳ１２へ戻って説明する。
【００６６】
ステップＳ１２の判定が否定、すなわち、モードが撮影モードでないと判定された場合には、ステップＳ１６へ移行して、再生モードが起動される。
【００６７】
次に、再生モードについて図６のフローチャートを参照して説明する。
【００６８】
ステップＳ７０では、現在のモードが再生モードか否か判定される。該判定が否定された場合には、‘電源オン’プログラムのステップＳ１２へ戻る。
【００６９】
ステップＳ７０の判定が肯定された場合には、ステップＳ７２へ移行して、既に記録済みの画像データのメモリ６２上のアドレスを表すポインタにより、現在、指定されているアドレスに記録された画像がカラーディスプレイ２６に再生表示され、ステップＳ７４へ移行する。
【００７０】
ステップＳ７４では、選択スイッチ３４による再生画像の選択が行われているか否か判定される。該判定が肯定された場合には、ステップＳ７６へ移行して、他の記録済み画像が再生表示されるようにポインタのインクリメントが行われ、ステップＳ７２へ戻る。
【００７１】
一方、ステップＳ７４の判定が否定された場合には、このサブルーチンを抜けて‘電源オン’プログラムのステップＳ１２へ戻る。
【００７２】
このように本実施の形態に係わるデジタルカメラ１０では、単一の操作対象であるレリーズスイッチ２２を用いて、少なくとも３状態を検出することによって、該検出結果に基づいて、動画撮影と静止画撮影を切り替えることができるので、操作者が事前に動画撮影を行う動画モードと静止画撮影を行う静止画モードとの切替を設定したり、専用の操作手段等を別途設けて動画撮影と静止画撮影を行ったりすることなく、単一レリーズスイッチ２２の操作で静止画撮影又は動画撮影を随時行うことができる。
【００７３】
なお、上記の実施の形態では、３つの接点スイッチを用いてレリーズスイッチ２２の３状態を検出するようにしたが、これに限るものではなく、例えば、レリーズスイッチ２２の位置を検出する測距センサや光センサ等のセンサを用いるようにしてもよい。
【００７４】
また、上記の実施の形態において、接点スイッチＡ２２ａの代わりにタッチセンサを用いることも可能である。
【００７５】
【発明の効果】
以上説明したように本発明によれば、単一の操作部位を操作することによって、静止画撮影指示の第１状態または動画撮影指示の第２状態検出し、第１状態が検出されたときに、静止画撮影機能へ移行し、第２状態が検出されたときに、動画撮影機能へ移行するように制御することによって、単一の操作部位の操作で静止画撮影及び動画撮影を行うことができるので、予めモード切り替え等を行うことなく、随時、動画撮影と静止画撮影を行うことができる、という効果がある。
【図面の簡単な説明】
【図１】本発明の実施の形態に係わるデジタルカメラの外観を示す斜視図である。
【図２】本発明の実施の形態に係わるデジタルカメラの電気系の構成を示すブロック図である。
【図３】レリーズスイッチの操作に応じて行われるシステム制御部における機能を表す機能ブロック図である。
【図４】本発明の実施の形態に係わるデジタルカメラの動作の流れを示すフローチャートである。
【図５】撮影モードのサブルーチンを示すフローチャートである。
【図６】再生モードのサブルーチンを示すフローチャートである。
【符号の説明】
１０　　デジタルカメラ
２２　　レリーズスイッチ
２２ａ　　接点スイッチＡ
２２ｂ　　接点スイッチＢ
２２ｃ　　接点スイッチＣ
７０　　システム制御部
８６　　機能決定部
８８　　静止画撮影制御部
９０　　動画撮影制御部
【図１】
2004120255.tif 000003
【図２】
2004120255.tif 000004
【図３】
2004120255.tif 000005
【図４】
2004120255.tif 000006
【図５】
2004120255.tif 000007
【図６】
2004120255.tif 000008